(57)【特許請求の範囲】
【請求項１】
浴室の空気が吸い込まれる第１吸気口と、
前記浴室に向けて空気が吹き出される吹出口と、
前記第１吸気口と前記吹出口とを連通する第１風路と、
前記第１風路上に設けられ、前記第１吸気口から前記吹出口に向けて空気を送る第１送風部と、
前記第１風路上の前記第１送風部と前記吹出口との間に設けられ、前記第１送風部から送られる空気を加熱する加熱部と、
を備えた浴室換気暖房装置であって、
前記第１風路の前記第１送風部と前記加熱部との間であって、前記加熱部の上方に設けられ、前記第１送風部から送られる空気を、前記加熱部の前記第１送風部側に導く導風部を備え、
前記導風部は、
前記導風部の前記加熱部側の面が、前記加熱部に対向する面であり、
前記加熱部側の面を延伸させた仮想面が前記加熱部と交差し、
前記加熱部側の端部が、前記加熱部の上方、かつ、前記送風部側に設けられている、
ことを特徴とする浴室換気暖房装置。
【請求項２】
前記浴室の外に空気が排出される換気口と、
前記第１吸気口と前記換気口とを連通する第２風路と、
前記第１送風部から送られる空気の流れを、前記吹出口または前記換気口に向けて切替可能なダンパと、
をさらに備え、
前記ダンパが、前記導風部を有することを特徴とする請求項１記載の浴室換気暖房装置。
【請求項３】
前記ダンパは、前記第１風路または前記第２風路を遮蔽可能な遮蔽部をさらに有し、
前記遮蔽部が前記第２風路を遮蔽した状態において、前記導風部の前記加熱部側の面を延伸させた仮想面が、前記加熱部と交差することを特徴とする請求項２記載の浴室換気暖房装置。
【請求項４】
前記遮蔽部と前記導風部とは、前記ダンパの前記第１送風部側で連結されていることを特徴とする請求項３記載の浴室換気暖房装置。
【請求項５】
前記導風部の前記加熱部側の面は、前記第１送風部に向かって上方に傾斜していることを特徴とする請求項３または４に記載の浴室換気暖房装置。
【請求項６】
前記遮蔽部は、
前記第１送風部と前記ダンパとを結ぶ第１方向における一端である第１端部と、
前記第１方向における他端である第２端部と、
を有し、
前記ダンパの回動軸の前記第１方向における位置は、前記第１端部の前記第１方向における位置と、前記第２端部の前記第１方向における位置と、の間にあることを特徴とする請求項３〜５のいずれか１つに記載の浴室換気暖房装置。
【請求項７】
前記第１風路の前記第１送風部と前記加熱部との間の壁面の一部は、前記第１送風部と前記ダンパとを結ぶ第１方向から前記浴室側に向けて曲がっており、
前記壁面の前記一部の前記第１送風部側の角は、湾曲していることを特徴とする請求項２〜６のいずれか１つに記載の浴室換気暖房装置。
【請求項８】
循環ユニットであって、
前記第１吸気口と、
前記吹出口と、
前記第１風路と、
前記第１送風部と、
前記加熱部と、
を有する循環ユニットと、
換気ユニットであって、
前記第１吸気口を介して空気が吸い込まれる第２吸気口と、
前記浴室の外に空気が排出される換気口と、
前記第２吸気口と前記換気口とを連通する第２風路と、
前記第２風路上に設けられ、前記第２吸気口から前記換気口に向けて空気を送る第２送風部と、
を有する換気ユニットと、
を備え、
前記導風部は、前記循環ユニットにおける前記第１風路の前記第１送風部と前記加熱部との間の壁面の一部であり、前記壁面の前記一部は、前記第１送風部に向かって上方に傾斜し、前記壁面の前記一部を前記浴室側に向けて延伸させた仮想面が、前記加熱部と交差することを特徴とする請求項１記載の浴室換気暖房装置。
【発明の詳細な説明】
【技術分野】
【０００１】
本発明の態様は、一般的に、浴室換気暖房装置に関する。
【背景技術】
【０００２】
特許文献１には、ファンと、ダンパと、ファンから送られた空気を加熱するヒータと、を備えた浴室換気乾燥機が開示されている。
【先行技術文献】
【特許文献】
【０００３】
【特許文献１】特開平９−２５０７８７号公報
【発明の概要】
【発明が解決しようとする課題】
【０００４】
特許文献１に開示された浴室換気乾燥機の場合、ファンから送られた空気は、ダンパに沿ってヒータに流れ込み、加熱されて浴室内に循環される。このとき、ヒータのファンから遠い側では、ファンに近い側に比べてより多くの空気が流れる。このため、ヒータを流れる空気の流れが不均一であり、ヒータによる空気の効率的な加熱の観点で改善の余地があった。
本発明は、かかる課題の認識に基づいてなされたものであり、ヒータを流れる空気の流れをより均一にできる浴室換気暖房装置を提供することを目的とする。
【課題を解決するための手段】
【０００５】
第１の発明は、浴室の空気が吸い込まれる第１吸気口と、前記浴室に向けて空気が吹き出される吹出口と、前記第１吸気口と前記吹出口とを連通する第１風路と、前記第１風路上に設けられ、前記第１吸気口から前記吹出口に向けて空気を送る第１送風部と、前記第１風路上の前記第１送風部と前記吹出口との間に設けられ、前記第１送風部から送られる空気を加熱する加熱部と、を備えた浴室換気暖房装置であって、前記第１風路の前記第１送風部と前記加熱部との間であって、前記加熱部の上方に設けられ、前記第１送風部から送られる空気を、前記加熱部の前記第１送風部側に導く導風部を備え、前記導風部は、前記導風部の前記加熱部側の面が、前記加熱部に対向する面であり、前記加熱部側の面を延伸させた仮想面が前記加熱部と交差し、前記加熱部側の端部が、前記加熱部の上方、かつ、前記送風部側に設けられていることを特徴とする浴室換気暖房装置である。
【０００６】
この浴室換気暖房装置によれば、導風部によって、加熱部の第１送風部側を流れる空気の流量を大きくし、加熱部の第１送風部側とその反対側とを流れる空気の流量差を小さくすることが可能となる。すなわち、加熱部を流れる空気の流れをより均一にできる。
このため、この浴室換気暖房装置によれば、加熱部と、第１送風部から送られた空気と、の間の熱交換量を大きくし、空気を効率的に加熱することが可能となる。
【０００７】
第２の発明は、第１の発明において、前記浴室の外に空気が排出される換気口と、前記第１吸気口と前記換気口とを連通する第２風路と、前記第１送風部から送られる空気の流れを、前記吹出口または前記換気口に向けて切替可能なダンパと、をさらに備え、前記ダンパが、前記導風部を有することを特徴とする浴室換気暖房装置である。
【０００８】
この浴室換気暖房装置によれば、第１送風部から送られる空気を換気口に流す際に、換気口へ向かう空気の流れに対する導風部の抵抗を小さくし、換気を効率的に行うことが可能となる。
【０００９】
第３の発明は、第２の発明において、前記ダンパは、前記第１風路または前記第２風路を遮蔽可能な遮蔽部をさらに有し、前記遮蔽部が前記第２風路を遮蔽した状態において、前記導風部の前記加熱部側の面を延伸させた仮想面が、前記加熱部と交差することを特徴とする浴室換気暖房装置である。
【００１０】
この浴室換気暖房装置によれば、第１送風部から送られた空気が、より加熱部の第１送風部側に導かれ易くなり、加熱部を流れる空気の流れをより均一にできる。その結果として、加熱部による空気の加熱効率を向上させることが可能となる。
【００１１】
第４の発明は、第３の発明において、前記遮蔽部と前記導風部とは、前記ダンパの前記第１送風部側で連結されていることを特徴とする浴室換気暖房装置である。
【００１２】
この浴室換気暖房装置によれば、遮蔽部と導風部との間に空気が流れ込まないため、より多くの空気を加熱部の第１送風部側に導くことができ、加熱部を流れる空気の流れをより均一にできる。その結果として、加熱部による空気の加熱効率をさらに向上させることが可能となる。
【００１３】
第５の発明は、第３または第４の発明において、前記導風部の前記加熱部側の面は、前記第１送風部に向かって上方に傾斜していることを特徴とする浴室換気暖房装置である。
【００１４】
この浴室換気暖房装置によれば、第１送風部から空気が送られた際に、導風部の周りにおいて乱流の発生を抑制することができる。このため、加熱部に向けて空気が送られる際の圧損を低減し、吹出口に向けて流れる空気の流量を大きくすることができる。
【００１５】
第６の発明は、第３〜第５のいずれかの発明において、前記遮蔽部は、前記第１送風部と前記ダンパとを結ぶ第１方向における一端である第１端部と、前記第１方向における他端である第２端部と、を有し、前記ダンパの回動軸の前記第１方向における位置は、前記第１端部の前記第１方向における位置と、前記第２端部の前記第１方向における位置と、の間にあることを特徴とする浴室換気暖房装置である。
【００１６】
この浴室換気暖房装置によれば、回動軸と遮蔽部の第１端部との間の距離および回動軸と遮蔽部の第２端部との間の距離を短くすることができる。このため、第１送風部から送られた空気が遮蔽部に当たっている間、回動軸にかかるトルクを小さくすることができる。このことにより小さな力でダンパを支持することができ、浴室換気暖房装置で消費されるエネルギーを低減することが可能である。
【００１７】
第７の発明は、第２〜第６のいずれかの発明において、前記第１風路の前記第１送風部と前記加熱部との間の壁面の一部は、前記第１送風部と前記ダンパとを結ぶ第１方向から前記浴室側に向けて曲がっており、前記壁面の前記一部の前記第１送風部側の角は、湾曲していることを特徴とする浴室換気暖房装置である。
【００１８】
この浴室換気暖房装置によれば、第１送風部から送られた空気が、より加熱部の第１送風部側に流れ込みやすくなり、加熱部を流れる空気の流れをより均一にできる。その結果として、加熱部による空気の加熱効率をさらに向上させることが可能となる。
【００１９】
第８の発明は、第１の発明において、循環ユニットであって、前記第１吸気口と、前記吹出口と、前記第１風路と、前記第１送風部と、前記加熱部と、を有する循環ユニットと、換気ユニットであって、前記第１吸気口を介して空気が吸い込まれる第２吸気口と、前記浴室の外に空気が排出される換気口と、前記第２吸気口と前記換気口とを連通する第２風路と、前記第２風路上に設けられ、前記第２吸気口から前記換気口に向けて空気を送る第２送風部と、を有する換気ユニットと、を備え、前記導風部は、前記循環ユニットにおける前記第１風路の前記第１送風部と前記加熱部との間の壁面の一部であり、前記壁面の前記一部は、前記第１送風部に向かって上方に傾斜し、前記壁面の前記一部を前記浴室側に向けて延伸させた仮想面が、前記加熱部と交差することを特徴とする浴室換気暖房装置である。
【００２０】
この浴室換気暖房装置によれば、第１風路の第１送風部と加熱部との間の壁面の一部によって、加熱部の第１送風部側を流れる空気の流量をより大きくし、加熱部の第１送風部側とその反対側とを流れる空気の流量差を小さくすることが可能となる。
このため、この浴室換気暖房装置によれば、加熱部を流れる空気の流れをより均一にできる。その結果として、加熱部と、送風部から送られた空気と、の間の熱交換量を大きくし、空気を効率的に加熱することが可能となる。
さらに、浴室以外の部屋（例えば、洗面所やトイレ）を浴室換気暖房装置によって換気する場合であっても、第２送風部を有する換気ユニットを設けることで、浴室以外の部屋も十分に換気することが可能となる。
このため、この浴室換気暖房装置によれば、浴室側に吹出す空気を効率的に加熱することができるとともに、浴室とそれ以外の部屋の換気の能力を向上させることができる。
【発明の効果】
【００２１】
本発明の態様によれば、加熱部を流れる空気の流れをより均一にできる浴室換気暖房装置が提供される。
【図面の簡単な説明】
【００２２】
【図１】第１実施形態に係る浴室換気暖房装置を浴室に取り付けた状態を表す概略図である。
【図２】第１実施形態に係る浴室換気暖房装置を表す断面図である。
【図３】第１実施形態に係る浴室換気暖房装置を表す断面図である。
【図４】第１実施形態に係る浴室換気暖房装置を表す断面図である。
【図５】第１実施形態に係る浴室換気暖房装置の制御系を表すブロック図である。
【図６】第１実施形態に係る浴室換気暖房装置が有するダンパの一例を表す斜視断面図である。
【図７】第１実施形態に係る浴室換気暖房装置が有するダンパの一例を表す斜視図である。
【図８】（ａ）参考例に係る浴室換気暖房装置の一部を表す断面図である。（ｂ）第１実施形態に係る浴室換気暖房装置の一部を表す断面図である。
【図９】第１実施形態に係る浴室換気暖房装置が有するダンパの一例を表す斜視断面図である。
【図１０】第１実施形態に係る浴室換気暖房装置が有するダンパの一例を表す斜視図である。
【図１１】第２実施形態に係る浴室換気暖房装置を表す断面図である。
【図１２】第２実施形態に係る浴室換気暖房装置の一部を表す断面図である。
【発明を実施するための形態】
【００２３】
（第１実施形態）
以下、本発明の第１実施形態について図面を参照しつつ説明する。なお、各図面中、同様の構成要素には同一の符号を付して詳細な説明は適宜省略する。
図１は、第１実施形態に係る浴室換気暖房装置１を浴室に取り付けた状態を表す概略図である。
図２〜図４は、第１実施形態に係る浴室換気暖房装置１を表す断面図である。
図５は、第１実施形態に係る浴室換気暖房装置１の制御系を表すブロック図である。
【００２４】
図１に表すように、浴室換気暖房装置１は、浴室ＢＲの天井に取り付けられる。
浴室換気暖房装置１は、浴室ＢＲの空気を吸い込み、ヒータを経由させて浴室ＢＲに向けて吹き出す。または、浴室換気暖房装置１は、浴室ＢＲの空気を吸い込み、吸い込んだ空気の少なくとも一部を、ダクトＤを通して浴室外に排出することも可能である。
浴室ＢＲには、洗面所ＳＲが隣接して設けられ、浴室換気暖房装置１は、例えば、洗面所ＳＲの壁面に設けられたリモコンＲＣによって操作することができる。
【００２５】
図２に表すように、第１実施形態に係る浴室換気暖房装置１は、ケーシング１０１、スクロール１０３、ファン１０５、ヒータケース１０９、ダクトカバー１１１、ヒータ１１３、ダンパ１１５、第１吸気口１２１、吹出口１２３、および換気口１２５を備える。
以降では、構造の具体的な説明のために、ダンパ１１５からファン１０５に向かう方向を「右」とし、「右」と反対の方向を「左」とする。そして、ダンパ１１５とファン１０５とを結ぶ方向を「左右」とする。また、ダンパ１１５から吹出口１２３（浴室ＢＲ）に向かう方向を「下」とし、下と反対の方向を「上」とする。
【００２６】
スクロール１０３は、ケーシング１０１の内側に設けられている。
ファン１０５は、ケーシング１０１の外側に設けられたモータ１０５ａと、スクロール１０３の内側に設けられた羽根１０５ｂと、を有する。モータ１０５ａによって羽根１０５ｂを回転させることで、ケーシング１０１の下面に形成された第１吸気口１２１を通して、浴室ＢＲの空気がスクロール１０３に吸い込まれる。
【００２７】
スクロール１０３の左側方には、スクロール１０３と連なって、ヒータケース１０９およびダクトカバー１１１が設けられている。ヒータケース１０９は、吹出口１２３と繋がっており、ダクトカバー１１１は、換気口１２５と繋がっている。
ファン１０５によって第１吸気口１２１から吸い込まれた空気は、第１吸気口１２１と吹出口１２３とを連通する第１風路Ｐ１および第１吸気口１２１と換気口１２５とを連通する第２風路Ｐ２を流れて、浴室換気暖房装置１の外に排出される。
【００２８】
ダンパ１１５は、ファン１０５の下流であって、吹出口１２３および換気口１２５よりも上流に設けられている。ダンパ１１５は、回動軸１１５ｃにより回動可能に構成されている。ダンパ１１５を回動させることで、換気モードと、暖房モードと、乾燥モードと、を切り替えることができる。換気モードは、浴室ＢＲ（図１参照）の内部空間を換気するモードである。暖房モードは、浴室ＢＲの内部空間を暖房するモードである。乾燥モードは、浴室ＢＲの内部あるいはそこに吊した洗濯物などを乾燥させるモードである。
【００２９】
換気モードでは、図３に表すように、第１吸気口１２１から吹出口１２３へ通じる第１風路Ｐ１が、ダンパ１１５によって遮蔽される。
暖房モードでは、図４に表すように、第１吸気口１２１から換気口１２５へ通じる第２風路Ｐ２が、ダンパ１１５によって遮蔽される。
乾燥モードでは、図２に表すように、第１風路Ｐ１および第２風路Ｐ２のいずれも遮蔽されず、ファン１０５から送られた空気は、吹出口１２３と換気口１２５の両方へ流れる。
なお、以降では、特に説明の無い限り、暖房モードと乾燥モードとをまとめて、単に暖房モードと称する。
【００３０】
ヒータ１１３は、第１風路Ｐ１のダンパ１１５と吹出口１２３との間に設けられている。ヒータ１１３を通電させた状態で、第１風路Ｐ１に空気を流すことで、吹出口１２３から温風が浴室ＢＲに向けて吹き出される。
【００３１】
図５に表したように、浴室換気暖房装置１は、ファン１０５、ヒータ１１３、およびダンパ１１５を制御する制御部１１７を有する。制御部１１７は、ＣＰＵやメモリなどを有し、リモコンＲＣから入力された情報などに基づいて、ファン１０５のオン・オフやヒータ１１３のオン・オフ、ダンパ１１５の回動などを制御する。
【００３２】
ここで、図６および図７を参照しつつ、ダンパ１１５の構造について、より具体的に説明する。
図６は、第１実施形態に係る浴室換気暖房装置１が有するダンパ１１５の一例を表す斜視断面図である。図６（ａ）と図６（ｂ）は、それぞれ異なる角度からダンパ１１５を斜視したときの様子を表している。
図７は、第１実施形態に係る浴室換気暖房装置１が有するダンパ１１５の一例を表す斜視図である。
【００３３】
図６に表すように、ダンパ１１５は、遮蔽部１１５ａ、導風部１１５ｂ、回動軸１１５ｃ、および側壁１１５ｄを有する。
遮蔽部１１５ａおよび導風部１１５ｂは、板状の部材である。
遮蔽部１１５ａの右側は、平板状であるのに対して、遮蔽部１１５ａの左側は、下方に向けて湾曲している。
導風部１１５ｂは、遮蔽部１１５ａの右側の下方に設けられている。導風部１１５ｂは例えば、平板状である。また、導風部１１５ｂは、遮蔽部１１５ａと異なる角度で傾斜している。例えば、図４に表すように、遮蔽部１１５ａが第２風路Ｐ２を遮蔽した状態において、導風部１１５ｂの下面ＢＳは、右方に向かって上方に傾斜している。
遮蔽部１１５ａの右側端部と、導風部１１５ｂの右側端部と、は連結されており、これによりダンパ１１５の右側端部は、「く」の字状に屈曲している。
【００３４】
遮蔽部１１５ａおよび導風部１１５ｂは、側壁１１５ｄを介して回動軸１１５ｃによって支持されている。回動軸１１５ｃは、例えば、遮蔽部１１５ａの後端と、導風部１１５ｂの後端と、の間に位置している。より具体的には、回動軸１１５ｃの左右方向における位置（座標）は、遮蔽部１１５ａの後端の左右方向における位置と、遮蔽部１１５ａの左右方向における位置と、の間にある。
【００３５】
ここで、図８を参照しつつ、本実施形態による作用および効果を説明する。
図８（ａ）は、参考例に係る浴室換気暖房装置の一部を表す断面図であり、図８（ｂ）は、第１実施形態に係る浴室換気暖房装置１の一部を表す断面図である。
【００３６】
図８（ａ）に表す参考例に係る浴室換気暖房装置では、ダンパ１１５が、導風部１１５ｂを有していない。この参考例に係る浴室換気暖房装置では、ファン１０５から送られた空気Ａは、図８（ａ）中の矢印で表すように、遮蔽部１１５ａの下面に沿ってヒータ１１３の左側を集中して流れる。つまり、ヒータ１１３を流れる空気の流れが不均一である。
ヒータ１１３の一部に集中して空気が流れると、ヒータ１１３と空気との間の熱交換量が小さくなり、空気を効率的に加熱することができなくなる。
【００３７】
これに対して、第１実施形態に係る浴室換気暖房装置１では、ダンパ１１５が、導風部１１５ｂを有する。ダンパ１１５が導風部１１５ｂを有する場合、図８（ｂ）に表すように、ファン１０５から送られた空気Ａが導風部１１５ｂに当たることで、空気Ａの向きがヒータ１１３に向けて変化する。このため、ダンパ１１５が導風部１１５ｂを有する場合、ダンパ１１５が導風部１１５ｂを有していない場合に比べて、ヒータ１１３の右側を流れる空気の流量をより大きくし、ヒータ１１３の左側と右側を流れる空気の流量差を小さくすることが可能となる。つまり、ヒータ１１３を流れる空気の流れをより均一にできる。
その結果として、本実施形態によれば、ヒータ１１３とファン１０５から送られた空気との間の熱交換量を大きくし、空気を効率的に加熱することが可能となる。
【００３８】
なお、浴室換気暖房装置１は、ダンパ１１５の導風部１１５ｂに代えて、ファン１０５から送られた空気をヒータ１１３の右側に導くための他の導風部を、第１風路Ｐ１のファン１０５とヒータ１１３との間に有していてもよい。
ただし、この場合、図３に表す換気モードにおいても、ファン１０５から送られた空気がヒータ１１３に向けて導かれてしまうため、換気口１２５へ向かう空気の流れが阻害されてしまう。
ダンパ１１５が導風部１１５ｂを有することで、換気モードのときに、ファン１０５から送られる空気に対して導風部１１５ｂを遮蔽部１１５ａによって覆うことができる。このため、本実施形態によれば、換気モードにおいて、ファン１０５から換気口１２５へ向かう空気の流れに対する導風部１１５ｂの抵抗を小さくし、換気を効率的に行うことが可能となる。
【００３９】
導風部１１５ｂは、暖房モードにおいて、図４に表すように、導風部１１５ｂの下面ＢＳ（ヒータ１１３側の面）をヒータ１１３に向けて延伸させた仮想面ＩＰが、ヒータ１１３と交差するように設けられていることが望ましい。
このような構造を採用することで、ファン１０５から送られた空気が、よりヒータ１１３の右側に導かれ易くなる。その結果として、ヒータ１１３を流れる空気の流れをより均一にでき、ヒータ１１３による空気の加熱効率を向上させることが可能となる。
【００４０】
さらに、導風部１１５ｂの下面ＢＳ（ヒータ１１３側の面）が、右方に向かって上方に傾斜していることで、下面ＢＳが右方に向かって下方に傾斜している場合に比べて、導風部１１５ｂ近傍における乱流の発生を抑制することができる。このため、ヒータ１１３に向けて空気が送られる際の圧損を低減し、吹出口１２３に向けて流れる空気の流量を大きくすることができる。
【００４１】
回動軸１１５ｃの左右方向における位置は、遮蔽部１１５ａの左端の左右方向における位置と、遮蔽部１１５ａの右端の左右方向における位置と、の間にあることが望ましい。このような構造を採用することで、回動軸１１５ｃと遮蔽部１１５ａの左端との間の距離および回動軸１１５ｃと遮蔽部１１５ａの右端との間の距離を、回動軸１１５ｃが、遮蔽部１１５ａの左端または右端に設けられている場合に比べて、短くすることができる。回動軸１１５ｃと各端部との間の距離を短くすることで、ファン１０５から送られた空気が遮蔽部１１５ａに当たっている間、回動軸１１５ｃにかかるトルクを小さくすることができる。このため、ファン１０５から空気が送られている間、より小さな力でダンパ１１５を支持することができ、浴室換気暖房装置１で消費される電力などのエネルギーを低減することが可能となる。
【００４２】
第１吸気口１２１からは、上方に向けて空気が吸い込まれ、ファン１０５によって左方に空気が送られる。その後、暖房モードのときは、ファン１０５から送られた空気の流れは、ダンパ１１５によって下方に向けられる。このとき、図２に表すように、スクロール１０３やヒータケース１０９によって構成される第１風路Ｐ１の壁面のコーナー部Ｃ１は、角ばっておらず、湾曲していることが望ましい。コーナー部Ｃ１が湾曲していることで、ファン１０５から送られた空気が、コーナー部Ｃ１に沿ってヒータ１１３の右側に流れ込みやすくなる。その結果として、ヒータ１１３を流れる空気の流れをより均一にでき、ヒータ１１３による空気の加熱効率を向上させることが可能となる。
なお、コーナー部Ｃ１は、下方に向けて曲がっている第１風路Ｐ１の壁面のうち、内側（曲率が大きい側）の部分である。
【００４３】
なお、図６および図７では、ダンパ１１５の遮蔽部１１５ａの先端と導風部１１５ｂの先端とが連結している場合の一例を表した。しかし、本実施形態に係る浴室換気暖房装置１が有するダンパ１１５の構造は、これに限定されない。
【００４４】
図９は、第１実施形態に係る浴室換気暖房装置１が有するダンパ１１５の他の一例を表す斜視断面図である。図９（ａ）と図９（ｂ）は、それぞれ異なる角度からダンパ１１５を斜視したときの様子を表している。
図１０は、第１実施形態の変形例に係る浴室換気暖房装置１が有するダンパ１１５の他の一例を表す斜視図である。
【００４５】
図９および図１０に表す例では、導風部１１５ｂが、遮蔽部１１５ａと離間して設けられている。このようなダンパ１１５の構造においても、ファン１０５から送られた空気が、導風部１１５ｂに当たり、ヒータ１１３の右側に導かれるため、ヒータ１１３を流れる空気の流れをより均一にでき、ヒータ１１３による空気の加熱効率を向上させることが可能である。
【００４６】
ただし、図６および図７に表した構造の場合、図９および図１０に表した構造に比べて、遮蔽部１１５ａと導風部１１５ｂとの間に空気が流れ込まないため、より多くの空気をヒータ１１３の右側に導くことが可能である。
すなわち、遮蔽部１１５ａの右方端部と導風部１１５ｂの右方端部とを連結させることで、ヒータ１１３を流れる空気の流れをより均一にできる。その結果として、ヒータ１１３による空気の加熱効率をさらに向上させることが可能となる。
【００４７】
（第２実施形態）
図１１は、第２実施形態に係る浴室換気暖房装置２を表す断面図である。
図１２は、第２実施形態に係る浴室換気暖房装置２の一部を表す断面図である。
【００４８】
図１１に表すように、浴室換気暖房装置２は、循環ユニット１０と、換気ユニット２０と、を備える。
循環ユニット１０は、ケーシング１０１、スクロール１０３、ファン１０５、ヒータケース１０９、ヒータ１１３、第１吸気口１２１、および吹出口１２３を有する。
換気ユニット２０は、ケーシング２０１、スクロール２０３、ファン２０５、第２吸気口２２１、および換気口２２５を有する。
【００４９】
ケーシング１０１の下面には、第１吸気口１２１が形成されている。第１吸気口１２１は、スクロール１０３の内部空間を通じて吹出口１２３と連通しており、第１風路Ｐ１が形成されている。ファン１０５が動作することで、第１吸気口１２１から浴室の空気が吸い込まれ、吹出口１２３に送られる。このとき、ヒータ１１３を通電させることで、温風が吹出口１２３から浴室に向けて吹き出す。
【００５０】
換気ユニット２０は、循環ユニット１０の上に設けられている。
ケーシング２０１は、ケーシング１０１の上に設けられている。ケーシング２０１の下面には、第２吸気口２２１が形成されている。第２吸気口２２１は、循環ユニット１０のケーシング１０１とスクロール１０３との間の間隙を通じて第１吸気口１２１と連通している。
【００５１】
スクロール２０３は、ケーシング２０１の内側に設けられている。また、ファン２０５は、ケーシング２０１の外側に設けられたモータ２０５ａと、スクロール１０３の内側に設けられた羽根１０５ｂと、を有する。モータ２０５ａによって羽根２０５ｂを回転させることで、第１吸気口１２１および第２吸気口２２１を通して、浴室ＢＲの空気がスクロール２０３に吸い込まれる。
【００５２】
スクロール２０３は、換気口２２５と繋がり、換気口２２５は、ダクトＤと繋がっている。このため、ファン２０５によって第２吸気口２２１から吸い込まれた空気は、第２吸気口２２１と換気口２２５とを連通する第２風路Ｐ２を通ってダクトＤに流れ、浴室ＢＲの外に排出される。
【００５３】
浴室換気暖房装置２は、ファン１０５およびファン２０５のオン・オフによって、換気モード、暖房モード、および乾燥モードを切り替えることができる。
暖房モードでは、ファン１０５のみが動作し、ファン２０５は動作しない。このとき、第１吸気口１２１から吸い込まれた空気は、吹出口１２３に向けて、第１風路Ｐ１を流れる。
換気モードでは、ファン１０５が動作せず、ファン２０５のみが動作する。このとき、第１吸気口１２１から吸い込まれた空気は、第２風路Ｐ２を流れ、第２吸気口２２１から換気ユニット２０の内部に吸い込まれる。第２吸気口２２１から吸い込まれた空気は、ファン２０５によって、換気口２２５へ送られ、浴室ＢＲの外へ排出される。
乾燥モードでは、ファン１０５およびファン２０５の両方が動作する。このとき、第１吸気口１２１から吸い込まれた空気の一部が、ファン１０５によって吹出口１２３に向けて送られ、空気の他の一部が、ファン２０５によって換気口２２５に向けて送られる。このため、第１吸気口１２１から吸い込まれた空気の一部のみが、第１風路Ｐ１を通り、ヒータ１１３によって加熱されて浴室ＢＲに吹き出す。
【００５４】
図１２に表すように、本実施形態に係る浴室換気暖房装置２では、第１風路Ｐ１のファン１０５とヒータ１１３との間の壁面の一部が、ファン１０５に向けて突き出している。ファン１０５に向けて突き出したこの壁面ＩＷは、表面をヒータ１１３に向けて延伸させた仮想面ＩＰが、ヒータ１１３と交差するように、設けられている。また、壁面ＩＷは、その少なくとも一部が、ヒータ１１３の右側と、上下方向において並ぶように、設けられている。
このような壁面ＩＷが設けられていることで、ファン１０５から送られた空気が壁面ＩＷに当たり、より多くの空気がヒータ１１３の右側へ導かれる。すなわち、本実施形態においては、壁面ＩＷが導風部として機能する。
このため、本実施形態においても、第１実施形態と同様に、ヒータ１１３を流れる空気の流れをより均一にでき、ヒータ１１３による空気の加熱効率を向上させることが可能である。
【００５５】
また、本実施形態に係る浴室換気暖房装置２では、ファン１０５を有する循環ユニット１０に加えて、ファン２０５を有する換気ユニット２０が設けられている。このため、浴室換気暖房装置２を用いて、浴室ＢＲと、浴室ＢＲ以外の部屋（例えば、洗面所ＳＲやトイレ）と、を換気する場合であっても、これらの部屋を十分に換気することができる。
すなわち、本実施形態によれば、浴室ＢＲに向けて吹き出される空気を効率的に加熱することができるとともに、浴室ＢＲと、浴室ＢＲ以外の部屋と、の換気の能力を向上させることができる。
【００５６】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、浴室換気乾燥暖房が備える各要素の形状、寸法、材質、配置、設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００５７】
１、２ 浴室換気暖房装置、  １０ 循環ユニット、  ２０ 換気ユニット、  １０１ ケーシング、  １０３ スクロール、  １０５ ファン、  １０５ａ モータ、  １０５ｂ 羽根、  １０９ ヒータケース、  １１１ ダクトカバー、  １１３ ヒータ、  １１５ ダンパ、  １１５ａ 遮蔽部、  １１５ｂ 導風部、  １１５ｃ 回動軸、  １１５ｄ 側壁、  １１７ 制御部、  １２１ 第１吸気口、  １２３ 吹出口、  １２５ 換気口、  ２０１ ケーシング、  ２０３ スクロール、  ２０５ ファン、  ２０５ａ モータ、  ２０５ｂ 羽根、  ２２１ 第２吸気口、  ２２５ 換気口、  Ａ 空気、  ＢＲ 浴室、  ＢＳ 下面、  Ｃ１ コーナー部、  Ｄ ダクト、  ＩＷ 壁面、  Ｐ１ 第１風路、  Ｐ２ 第２風路、  ＲＣ リモコン、  ＳＲ 洗面所
【図１】
0006751255.tif 000002
【図２】
0006751255.tif 000003
【図３】
0006751255.tif 000004
【図４】
0006751255.tif 000005
【図５】
0006751255.tif 000006
【図６】
0006751255.tif 000007
【図７】
0006751255.tif 000008
【図８】
0006751255.tif 000009
【図９】
0006751255.tif 000010
【図１０】
0006751255.tif 000011
【図１１】
0006751255.tif 000012
【図１２】
0006751255.tif 000013